(57)【要約】【課題】本発明は、敷地の境等に構築する板塀である。従来の板塀は高度な技術を必要とし、災害に弱いものであったが、災害に強く、高度な技術を必要としない板塀を提供する。【解決手段】化粧板材の両側端部に溝加工と片蟻加工をした、溝加工板(1)を目地材(2)と接続補強板(3)、釘(4)等を用いて、複数組み合わせた、複数の蟻溝(16)を有した、板塀の化粧板(5)と基礎型枠(13)を接続部材(6)を介して、型枠状に定法どおり仮設組みをして、コンクリート(12)を注入して凝固乾燥すれば、化粧板(5)は結合され、板塀と基礎が同時に一体として構築できる。【選択図】  図1
2005256373.tif 000002
【特許請求の範囲】
【請求項１】
板塀を構成する化粧板材の両側端部に接続するための溝加工と片蟻加工をした、溝加工板(1)の溝に目地材(2)を挿入して、接続補強板(3)、釘(4)等を用いて、複数組み合わせることで複数の蟻溝(16)が構成できる。その複数の蟻溝(16)を有した化粧板(5)を接続部材(6)を介して、型枠状に定法どおり、セパレーター(8)、フォームタイ(9)、バタ材(10)、バタ座金(11)で仮設組固定をして、コンクリート(12)を注入する、化粧板(5)の蟻溝(16)にコンクリート(12)が入り、凝固乾燥で、化粧板(5)を結合させるコンクリート(12)を主軸とした板塀。
【請求項２】
化粧板(5)と基礎型枠(13)を連結組みした中に、コンクリート(12)を注入して、コンクリート(12)の凝固乾燥で、基礎と板塀を一体で構築させる板塀。
【請求項３】
溝加工板(1)の両側端部の片蟻加工面を、コンクリート(12)が凝固固定することで、溝加工板(1)の変形と反りの防止ができる、その溝加工板(1)。
【発明の詳細な説明】
【技術分野】
【０００１】
本発明は、基礎と板塀を同時に構築することが可能な、コンクリートで化粧板を結合する、コンクリート打ち込み板塀に関するものである。
【背景技術】
【０００２】
日本建築では、伝統技術で木を生かした美しい板壁、板塀が多く見られたが、近代建築の氾濫により、新建材で覆われてその姿を見ることは激減している、同時に伝統技術も衰退しているのが現状である。木には同じものは二つとなく新建材で作ることは不可能である、それゆえに底知れぬ美しさがあると思う。木は工法と処理、養生を間違わなければ、燃えにくく腐りにくくすることは可能である。従来の工法は基礎にアンカーボールトを付設して土台木を固定して構築されているため土台の腐食と台風等の災害に弱く新建材の普及は理解できるが、地震等暴風雨に耐えられる木の板塀が容易にできる工法が強く望まれている。
【発明の開示】
【発明が解決しようとする課題】
【０００３】
従来の板塀は、コンクリートの布基礎にアンカーボルトを付設して、土台を取り付け、軸柱を建てて板塀が構築されていたが、風雨等地震にも弱く、支え柱等が用いられていた。板塀の構築には高度な技術を必要とし、工期も工費も多く掛かるにもかかわらず、土台等の腐食が早く建物の耐用年数まで耐えられないのが現状である。また、現代の建物に合わない等から、化粧ブロック塀、フエンス塀が普及している。しかし、自然木を利用した板塀の需要は多く、地震、風雨等の災害にも耐えられる、強固で現代の建築にも対応できる板塀を、高度な技術を必要としない、安価で短い工期で構築させる工法と板材の開発は大切である。
【課題を解決するための手段】
【０００４】
板塀を構成する化粧板材を厚くして、その厚さを利用して両側端部に接続するための溝加工と片蟻加工をした溝加工板(1)の溝に目地材(2)を挿入して、接続補強板(3)、釘(4)等を用いて、複数組み合わせることで複数の蟻溝(16)が構成できる。その複数の蟻溝(16)を有した化粧板(5)と基礎型枠(13)を接続部材(6)を介して、型枠状に常法どおりセパレーター(8)、フォームタイ(9)、バタ材(10)、バタ座金(11)で仮設組固定をしてコンクリート(12)を注入する。化粧板(5)の蟻溝(16)にコンクリート(12)が入り、凝固乾燥後、化粧板(5)は強固に結合される。また、仮設材、基礎型枠(13)を解体すれば、コンクリート(12)で強固に結合された板塀と基礎が一体として構築できる。接続部の接続部材(6)より突出しているセパレーター(8)のネジを除去処理して、化粧目地板(14)を挿入すれば、釘止めをしない板塀が構築できる。コンクリート(12)は凝固乾燥の養生期間が必要であり、その養生期間に板塀の笠木工事が可能となる。本発明は基礎工事から板塀の完成まで継続しての作業が可能である、基礎と板塀をコンクリート(12)で一体結合することを最も主要な特徴とする。
【発明の効果】
【０００５】
本発明は、板塀を構成する化粧板(5)を厚くすることで、仮設材を少なくすることが出来る。また、厚い化粧板(5)をコンクリート(12)で一体に結合することで、強固な板塀の構築ができる。化粧板(5)を防腐処理、不燃処理をすることで腐食にも火災に耐えられる板塀を構築することができる。溝加工板(1)の両側端部に片蟻加工をすることで、コンクリート(12)が入り、凝固乾燥すれば、溝加工板(1)のコンクリート(12)面が保湿側となり溝加工板(1)の変形などの反りが防止できる。複数の蟻溝(16)を有した化粧板(5)の蟻溝(16)にコンクリート(12)が入り、凝固乾燥すれば、化粧板(5)は釘(4)等を使用しないで強固に結合固定できる。化粧板(5)の接続部は接続部材(6)より突出している、セパレーター(8)のネジを除去処理して、化粧目地板(14)を挿入すれば、釘止めをしない板塀が構築できる。化粧板(5)は溝加工板(1)の蟻溝(16)に接続補強板(3)、目地に目地材(2)を用いて、釘(4)等で組み合わせて加工するため、大量に工場加工が可能である。化粧板(5)と基礎型枠(13)を型枠状に連結組みした中に、コンクリート(12)を注入し、凝固乾燥させれば、基礎と板塀が一体結合できる。コンクリート(12)を主軸とした板塀は強固であり、多種多様な笠木が構築できる。以上、建設作業を容易にし、工期の短縮、建設費の削減、品質の向上、産業廃棄物の削減を可能にするものである。
【発明を実施するための最良の形態】
【０００６】
以下、本発明を実施するための最良の形態を説明する、板塀を構成する化粧板材を厚くして、その厚さを利用して、化粧板材の両側端部に接続するための溝加工と片蟻加工をした溝加工板(1)の溝に目地材(2)を挿入して、接続補強板(3)釘(4)等を用いて、複数組み合わせることで複数の蟻溝(16)が構成できる、その複数の蟻溝(16)を有した化粧板(5)と基礎型枠(13)を接続部材(6)を介して、型枠状に定法どおりセパレーター(8)、フォームタイ(9)、バタ材(10)、バタ座金(11)で仮設組固定をしてコンクリート(12)を注入する。化粧板(5)の蟻溝(16)にコンクリート(12)が入り、凝固乾燥後、化粧板(5)は強固に結合される。また、仮設材、基礎型枠(13)を解体すれば、コンクリート(12)で強固に結合された板塀と基礎が一体として構築できる。接続部の接続部材(6)より突出しているセパレーター(8)のネジを除去処理して、化粧目地板(14)を挿入すれば、釘止めをしない板塀が構築できる。コンクリート(12)は凝固乾燥の養生期間が必要であり、その養生期間に板塀の笠木工事が可能である、コンクリート(12)を主軸とした板塀は強固であり、多種多様な笠木が構築できる。本発明の板塀は化粧板(5)を下地胴縁として、いろいろな仕上げをすることが可能である。また、コンクリート(12)を主軸とした板塀は強固であり、板壁の構築もできる。
【実施例１】
【０００７】
図1は、本発明の、化粧板をコンクリートで結合させた、基礎と一体の板塀の立体図である。
【図面の簡単な説明】
【０００８】
【図１】本発明の立体図で実施方法を示した説明図である。(実施例1)
【図２】本発明の横断面図で実施方法を示した説明図である。
【図３】図1のＡ部拡大図である。
【図４】図１のＢ部拡大図である。
【図５】本発明の縦断面図で実施方法を示した説明図である。
【図６】溝加工板を複数組み合わせた化粧板の化粧側を示した姿図である。
【図７】溝加工板を複数組み合わせた化粧板の裏側を示した姿図である。
【符号の説明】
【０００９】
１  溝加工板
２  目地材
３  接続補強板
４  釘
５  化粧板
６  接続部材
７  セパレーター孔
８  セパレーター
９  フォームタイ
１０  バタ材
１１  バタ座金
１２  コンクリート
１３  基礎型枠
１４  化粧目地板
１５  笠木
１６  蟻溝
【図１】
2005256373.tif 000003
【図２】
2005256373.tif 000004
【図３】
2005256373.tif 000005
【図４】
2005256373.tif 000006
【図５】
2005256373.tif 000007
【図６】
2005256373.tif 000008
【図７】
2005256373.tif 000009